(57)【要約】【課題】  災害時の避難場所となる屋内に簡単に組立てることが出来るハッポースチロール製ブースの提供。【解決手段】  ブース１の周囲は床面から垂直に起立する側壁２，２・・・にて囲まれ、該側壁２は１枚又は複数枚のハッポースチロール板３の側端に形成した嵌合凹部６と嵌合凸部７を互いに噛み合わせることで接続して構成し、側壁２を構成する１枚のハッポースチロール板１１には開口１２を設けると共に、該開口１２には開閉することが出来るハッポースチロールから成るドア４を取付けている。【選択図】    図１
2012225060.tif 000002
【特許請求の範囲】
【請求項１】
災害時の避難場所となる屋内に設置されるブースにおいて、該ブースの周囲は床面から垂直に起立する側壁にて囲まれ、該側壁は１枚又は複数枚のハッポースチロール板の側端に形成した嵌合凹部と嵌合凸部を互いに噛み合わせることで接続して構成し、側壁を構成する１枚のハッポースチロール板には開口を設けると共に、該開口には開閉することが出来るハッポースチロールから成るドアを取付けたことを特徴とする組立て式ブース。
【請求項２】
側壁を構成するハッポースチール板は、その外形を同一とし、ドアが取付けられるハッポースチロール板の中央部には出入口となる開口を形成した請求項１記載の組立て式ブース。
【請求項３】
ブースの天井に透明又は半透明な樹脂板から成る天井板を取付けた請求項１、又は請求項２記載の組立て式ブース。
【請求項４】
開口の両側には細長い縁材を取付けた請求項１、請求項２、又は請求項３記載の組立て式ブース。
【発明の詳細な説明】
【技術分野】
【０００１】
本発明は大地震、洪水、又は原子力発電所からの放射能漏れなどが発生した災害時に公共の施設へ避難する場合、プライベートな空間を形成する為に屋内に設置することが出来る組立て式ブースに関するものである。
【背景技術】
【０００２】
近年、我国をはじめ世界各国で大きな地震が発生し、その結果、住む家を無くして避難生活を強いられる場合が多く見受けられる。平成２３年３月１１日に発生した東日本大震災では太平洋側の関東から東北全域にわたっての巨大地震に襲われ、しかも地震によって発生した大津波が押し寄せて多くの人や家屋が波にさらわれてしまった。その為に、何十万人もの人が学校、体育館、公民館などの公共施設で避難生活を送っている。
【０００３】
ところで、これら公共施設では広い空間に多くの家族が一同に生活する場合には色々な苦労や問題があることは事実であるが、その１つにプライバシーに関する問題があり、広い空間での共同生活では個人のプライバシーは確保できず、避難生活が長期にわたると被災者は精神的な苦痛とストレスに悩まされ、場合によっては病気になることがある。従って、体育館などの広い空間を段ボールなどを起立して周りを仕切る人もいるが、段ボールを起立しただけの仕切りは安定せず、その高さが数十センチ程度であることから、プライバシーを十分に確保することは出来ない。
【０００４】
また、従来から提案され実用化されている板状の間仕切りも存在するが、嵩張り、重量が大であり、避難所用の広い空間への搬送作業、組立作業、取外し作業などが繁雑であるという欠点があるばかりでなく、組立て作業や取外し作業などに時間がかかると共に高価であるという欠点がある。また、設置に際してクギなどの固定具を使用することが多い為に、避難所の床面にキズ付けるという欠点もある。
【０００５】
この点を考慮するならば、段ボールなどで構成して床面に載置するだけのブース形態とする方が好ましい。特開２００６−２７４７４０号に係る「避難所用間仕切りユニット体、およびこれを利用した避難所用間仕切り構造」は、避難所用の広い部屋（空間）を小さい区画（空間）に仕切るユニット体、およびこれを利用した避難所用間仕切り構造である。
そこで、広幅・長尺の段ボールの面に、長さ方向に沿って一定幅で交互に谷折りおよび山折り可能にされた折り目が設けられてなる単位を一単位体とし、複数の単位体が順次連接されてなる避難所用間仕切りユニット体である。しかし、複数の単位体が順次連接したユニット体である為に、個人的に必要に応じて設置することは出来にくい。
【０００６】
特開２０１０−１１６７６６号に係る「ブースユニット」は、ネットカフェや災害時の避難所等において個人又はグループ用の専用スペースを極めて簡単に構成でき、出入口の向きや位置を種々設定でき、空間効率を高めることが可能であり、区画配置の変更や撤去・移設も容易に行えるようにしている。
そこで、矩形床板の長手方向一端側を前として、床板上の前半部が前方及び左右両側と上方を覆われて後方側に開放した囲いブースＢ１を構成し、同後半部が前後左右及び上方に開放した開放ブースＢ２を構成し、開放ブースＢ２には囲いブースＢ１の天井部の左右両側から後方へ延出して床板の後端部の左右両側に至るフレームを備えている。
【０００７】
しかし、このブースユニットは構造的に煩雑であり、屋外設置には向いているが、屋内用としてはより簡素である方が好ましい。
【特許文献１】特開２００６−２７４７４０号に係る「避難所用間仕切りユニット体、およびこれを利用した避難所用間仕切り構造」
【特許文献２】特開２０１０−１１６７６６号に係る「ブースユニット」
【発明の開示】
【発明が解決しようとする課題】
【０００８】
このように従来の避難用ブースには上記のごとき問題がある。本発明が解決しようとする課題はこの問題点であり、家族の人数に応じて大きさを自由に変更することが出来、しかも素人であっても簡単に設置可能な組立て式ブースを提供する。
【課題を解決するための手段】
【０００９】
本発明に係る組立て式ブースは、複数枚のハッポースチロール板を使用して構成している。そこで、ブースの側壁はハッポースチロール板が互いに接続されるように、側端には互いに噛み合うことが出来る嵌合凹部と嵌合凸部を有し、屋内設置である為に上部は開放することも出来る。すなわち、屋根は必ずしも必要ではないが、取付ける場合には明かりが入るように透明又は半透明な樹脂板などを載置する。
【００１０】
そして、側壁を構成するハッポースチロール板に設けた開口に出入口となるドアを取付けて開閉することが出来る。ドアもハッポースチロール板とし、開閉する為の軸部には蝶番が取着されるが、該ハッポースチロール板である為に、直接ネジ止めすることが出来ないために、両面を挟み込む取付け補強板を使用している。ただし、ドアの開閉手段として蝶番に限定はしない。
【発明の効果】
【００１１】
本発明に係る組立て式ブースは、複数枚のハッポースチロール板を繋いで構成することが出来る為に、その大きさ（床面積）は家族の人数に応じて自由に変えることが出来る。すなわち、ハッポースチロール板の使用枚数によってブースの大きさは自由になる。そして、ハッポースチロール板は段ボール紙とは違い、数センチ程の厚さのもを使用するならば、接続して設置されるブースは安定し、転倒することはない。
【００１２】
また、隣り合うハッポースチロール板は嵌合凹部と嵌合凸部とが互いに噛み合うことで接続される為に、ある程度の弾力性を備えるハッポースチロール板は、嵌合凹部と嵌合凸部は隙間無く互いに弾力性をもって噛み合うことが出来、その為に接続強度は高く、外れて分離することはない。また、開閉ドアが備わっていることで出入りも便利である。そして、各ハッポースチロール板はほぼ隙間なく連結されていることでブース内は静かで、特に表面をコーティングして被膜を形成するならば防音性は大きく向上する。また断熱性に優れている為に冬場の避難生活であっても内部は比較的暖かい。勿論、軽い為に余震で仮に転倒しても怪我することはない。
【図面の簡単な説明】
【００１３】
【図１】組み立て式ブースの外観を示す実施例。
【図２】ハッポースチロール板の具体例。
【図３】ドアを取付ける為の開口を有すハッポースチロール板。
【図４】樹脂製天井板の具体例。
【図５】コーナー板の具体例。
【図６】ドアの具体例。
【図７】蝶番を介して取付けたドアの取付け構造。
【発明を実施するための形態】
【００１４】
図１は本発明に係る組立て式ブースを示す外観図である。該ブース１は正方形の床面を有して４面の側壁２，２・・・が起立し、１側壁は２枚のハッポースチロール板３，３が繋がれて合計８枚のハッポースチロール板３，３・・・を組み合わせた構造と成っている。そして、側壁２を構成するハッポースチロール板１１には出入口となる開口を形成し、この開口にはドア４が取付けられ、該ドア４は開閉することが出来る。また、天井には天井板５，５を載置している。
【００１５】
同図から明らかなように、各ハッポースチロール板３，３・・・の側端には嵌合凹部と嵌合凸部が形成され、これら嵌合凹部に嵌合凸部が噛み合うことで八ｐ−スチロール板３，３は接続されて側壁２が構成されている。図２はハッポースチロール板３を示す具体例であり、その形状は縦長の概略長方形を成し、そして両側端には嵌合凹部６，６・・・と嵌合凸部７，７・・・が形成されている。
【００１６】
同じく、上端にも嵌合凹部８，８・・と嵌合凸部９，９が設けられている。また、中間部両側には細長い切欠き溝１０，１０を水平に設けている。ハッポースチロール３に上記嵌合凹部６，６・・・、嵌合凸部７，７・・・、嵌合凹部８，８・・、嵌合凸部９，９、及び切欠き溝１０，１０を加工する具体的な方法は自由であるが、例えば切削加工することが出来る。
【００１７】
図３はドア４が取付けられるハッポースチロール板１１を表している。側端には上記ハッポースチロール板３と同じく、嵌合凹部６，６・・・、及び嵌合凸部７，７・・・を形成し、上端には嵌合凹部８，８・・と嵌合凸部９，９を設けている。そして、中央には大きな開口１２を設け、開口１２の両側には細長い縁材１３ａ，１３ｂを接着している。
【００１８】
ところで、図２に示すハッポースチロール板３と図３に示すハッポースチロール板１１は、その外形は共通している。ハッポースチロール板３は切欠き溝１０，１０を形成しているが、開口１２は持たず、ハッポースチロール板１１は開口１２を有しているが、切欠き溝１０，１０は持っていない。しかし、両側に設けている嵌合凹部６，６・・・及び嵌合凸部７，７・・・の配列形態、並びに上端に設けた嵌合凹部８，８・・及び嵌合凸部９，９の配列形態は同じとしている。すなわち、外形は全て同じ大きさ・形状のハッポースチロール板３，１１が使用される。
【００１９】
ドア４が取付けられるハッポースチロール板１１の中央部には大きな開口１２を有し、この開口１２は人が通過して出入りすることが出来るように、人の背丈に近い高さ寸法と成っている。そして、開口１２の両側には細長い縁材１３ａ，１３ｂが取付けられており、ドア４はこの両縁材１３ａ，１３ｂに装着される。
ここで、上記ハッポースチロール板３、及びハッポースチロール板１１、さらにドア４の表面をコーティングして被膜を形成することもあり、該被膜を形成することでブース１内の防音性は高くなり、内部は静かである。
【００２０】
図４は天井板５を表す具体例であり、その両端には嵌合凹部１４，１４が形成され、側壁を構成するハッポースチロール板３，３・・・、１１の上端に載置され、嵌合凹部１４，１４にはハッポースチロール板３，３・・１１の上端に形成している嵌合凸部９，９が嵌合することが出来る。ここで、該天井板５は外の明かりがブース１の内部に入るように透明又は半透明の樹脂板が用いられる。仮に天井板５をハッポースチロール板で構成するならば、ブース内部に明かりが入らないために、透明又は半透明な樹脂板を天井板５として使用される。しかし、時には天井板５を取付けない場合もある。
【００２１】
図５はコーナー板１５を表し、ブース１の側壁を構成するハッポースチロール板に設けた切欠き溝１０，１０に嵌って取付けられる。該コーナー板１５の縁１６，１６が切欠き溝１０，１０に嵌って取付けられることで、ブース１のコーナーには簡易的な棚が出来上がる。コーナーに該コーナー板１５，１５・・・を取付けることで、ブース１の剛性が向上して捩れを防止されると共に利便性も高くなる。すなわち、小さい荷物等をコーナー板１５の上に載せることが出来る。
【００２２】
ここで、上記コーナー板１５は一般的に概略三角形とするが、その大きさは自由である。ただし、大きなコーナー板１５とすればブース１のコーナーに取付けられるコーナー板１５が邪魔になることもある為に、またハッポースチロール製のコーナー板１５を大きくしても、大きな荷物を載せるには強度的な問題もあることから、適度な大きさが好ましい。
【００２３】
図６はハッポースチロール板１１の開口１２に取付けられるドア４を表している。ドア４は縦長の長方形でコーナー部を切欠いた形状としており、該ドア４が取付けられる開口１２の形状に合わせている。開口１２の両側には一定厚さでハッポースチロールから成る縁材１３ａ,１３ｂが接着され、この縁材１３ａ,１３ｂにドア４の両側部が重なり合って取付けられる。そして、一方の縁材１３ｂに蝶番が設けられ、該蝶番を介してドア４が開閉可能に取付けられる。
【００２４】
ここで、ドア４が開閉出来るように取付ける具体的な構造は限定しないが、図７は蝶番１７を介してドア４を取付けた具体例を示している。すなわち、横断面図を表しているが、縁材１３ｂにはコ形の補強材１８が取付けられ、同じくドアの側端にも補強材１９を取付けている。そして、この補強材１８に蝶番１７の一方の蝶片２０ａがネジ止めされ、補強材１９には蝶片２０ｂがネジ止めにて連結されている。勿論、コ形補強材１８、１９を縁材１３ｂ及びドア４の側端部に取着すると共に蝶片２０ａ,２０ｂをネジ止め・連結することも可能である。
【００２５】
このように、強度的には弱いハッポースチロール板１１に直接ドア４をネジ止めして取付けることは出来ない為に、補強材１８，１９を取付け、この補強材１８，１９に蝶番１７を介してドア４を取付け、ドア４は該蝶番１７にて開閉することが出来る。
【符号の説明】
【００２６】
１  ブース
２  側壁
３  ハッポースチロール板
４  ドア
５  天井板
６  嵌合凹部
７  嵌合凸部
８  嵌合凹部
９  嵌合凸部
10  切欠き溝
11  ハッポースチロール板
12  開口
13  縁材
14  嵌合凹部
15  コーナー板
16  縁
17  蝶番
18  補強材
19  補強材
20  蝶片
【図１】
2012225060.tif 000003
【図２】
2012225060.tif 000004
【図３】
2012225060.tif 000005
【図４】
2012225060.tif 000006
【図５】
2012225060.tif 000007
【図６】
2012225060.tif 000008
【図７】
2012225060.tif 000009